(57)【要約】【課題】マルチタッチを認識できる静電容量方式のタッチスクリーンに用いる接触メディアであって、前記接触メディアに構成された、導電性物質からなる複数の小領域の位置情報を検知することを困難にすることを目的としている。【解決手段】接触メディアの一方面に少なくとも、特性情報別に予め決められた位置に導電性物質からなる複数の導電性小領域と、前記導電性物質からなる複数の小領域を認識させるために必要な、人間との接触を行う導電性物質からなる導電性領域、および前記小領域同士を導通させる導電性物質からなる導電性結合線が形成されている接触メディアにおいて、前記接触メディアの同一方面に、前記導電性物質による複数の導電性領域と重ならず、かつ、前記導電性物質による複数の導電性領域と略同形状である、非導電性物質からなる小領域が形成されていることを特徴とする。【選択図】図３
2020047211.tif 000002
【特許請求の範囲】
【請求項１】
マルチタッチを認識できる静電容量方式のタッチスクリーンに用いる接触メディアであって、接触メディアの一方面に少なくとも、特性情報別に予め決められた位置に導電性物質からなる複数の導電性小領域と、前記小領域同士を導通させる導電性物質からなる導電性結合線が形成されている接触メディアにおいて、前記接触メディアの同一方面に、非導電性物質からなる非導電性小領域が形成されていることを特徴とする接触メディア。
【請求項２】
マルチタッチを認識できる静電容量方式のタッチスクリーンに用いる接触メディアであって、接触メディアの一方面に少なくとも、特性情報別に予め決められた位置に導電性物質からなる複数の導電性小領域と、前記小領域同士を導通させる導電性物質からなる導電性結合線が形成されている接触メディアにおいて、前記接触メディアの同一方面に、前記導電性結合線と重なる位置に、非導電性物質からなる非導電性小領域が形成されていることを特徴とする接触メディア。
【請求項３】
上記非導電性小領域は上記導電性小領域と重ならない位置に形成されている請求項１または２記載の接触メディア。
【請求項４】
上記非導電性小領域は上記導電性小領域と略同形状である請求項１〜３のいずれかに記載の接触メディア。
【発明の詳細な説明】
【技術分野】
【０００１】
本発明はタッチスクリーンに用いる接触メディアに関する。さらに詳しくは、導電性物質からなる複数の小領域の位置情報を検知することを困難にする接触メディアに関する。
【背景技術】
【０００２】
従来、情報を接触メディアに記録して電子的に読み出す方法として、接触メディアの一つの面に、特性情報別に予め決められた位置に導電性物質からなる複数の小領域と、前記複数の小領域を認識させるために必要な、人間との接触を行う導電性物質からなる導電性領域を形成させ、さらに前記複数の小領域同士および／または前記人間との接触を行う導電性領域を導通させるために、導電性物質からなる細線の結合線で電気的に結合し、マルチタッチを認識できる静電容量方式のタッチスクリーンで、前記複数の小領域の位置を認識し、この位置情報を用いて特性情報とする方式がある。
【０００３】
この方式の接触メディアシステムは、特許文献１をはじめとしていくつかの提案がされている。
【０００４】
この接触メディア認識システムに用いる接触メディアは、カードに代表される形状であり、２つの面を持つものが一般的である。カード状の接触メディアは複数のシート状の基材を貼り合わせた構成が多く、一般に２枚のシートの貼り合わせで形成される。最終的に形成後の接触メディアは２つの面を有する。表面、裏面と呼んで識別することが多い。
【０００５】
接触メディアの基材には、プラスチック、紙、木質系素材、ガラス、セラミック、布帛、皮革、またはそれらの組み合わせやそれらを積層させた複合素材などを用いることができる。基材の非導電性の面に特性情報別に予め決められた位置に導電性物質からなる複数の小領域、人間との接触を行う導電性領域および導電性物質からなる細線の結合線が形成されて接触メディアとして用いることができる。
【０００６】
接触メディアの導電性物質からなる複数の小領域、人間との接触を行う導電性領域および導電性物質からなる結合線は、スクリーン印刷技術を用いて導電性インクを印刷することで形成される場合が多い。接触メディアの導電性物質からなる複数の小領域、人間との接触を行う導電性領域および結合線は、金属箔を貼って形成する方法も知られている。前記複数の小領域、人間との接触を行う導電性領域および結合線を、タッチするときの擦過から保護するため、別の基材などで保護することが一般的である。
【０００７】
上記のように構成された接触メディアの利用例として、特性情報別に予め決められた位置に導電性物質からなる複数の小領域などなどを設けられた接触メディアの表面および／または裏面に肖像、図形、地図、文字情報などを印刷し、当該接触メディアを、マルチタッチを認識できる静電容量方式のタッチスクリーンに接触させることにより、所望の特性情報を得ることができる。
【０００８】
上記のように構成された接触メディアの表面および／または裏面に意匠性の高い肖像、図形などのデザインを印刷し、接触メディア（カード）としての収集的な価値を高めることができるが、接触メディアにおける導電性物質からなる複数の小領域の位置を変更すれば異なる特性情報が得られるので、印刷の図柄が同一でも導電性物質からなる複数の小領域の位置を変更すれば、得られる特性情報自体の価値または異なった特性情報が得られる接触カードとしての希少性を演出でき、更なる収集的な価値を高めることができる。
【０００９】
しかしながら、上記接触メディアの層構成の場合、光を透過した場合に導電性物質からなる複数の小領域が見えてしまうことがある。しかも、上述したように、導電性物質からなる複数の小領域、人間との接触を行う導電性領域および導電性物質からなる結合線は、スクリーン印刷技術を用いた導電性インクの印刷や金属箔を貼って形成することができるので、単純に特性情報のみに価値を見出し、かつ導電性物質からなる小領域の位置情報が容易に視認できる場合には、前記小領域の位置のみの複製によって容易に特性情報が得られてしまうという問題があった。
【００１０】
上記の問題点を解決する方法としては、特許文献２に例示されているように、導電性物質からなる複数の小領域を、これより濃い色の非導電性インクによって隠蔽することが提案されている。
【００１１】
この場合の問題点としては、導電性のインクが、有色かつ透過濃度が高い場合には、それよりも濃い色の非導電性インクを選択せねばならず、実質的に接触メディアの全面に塗布しなければならない。また、接触メディアの外観の色にも影響を与える恐れがある。
【００１２】
また、導電性インクの選択によっては、導電性インクの特性上、インクの膜厚を厚くしないと導電性が充分に発現しない場合があり、導電性物質からなる複数の小領域の上層に光学的な隠蔽層および／または物理的な保護層を付与した場合でも、導電性物質からなる複数の小領域が外面に凸として現れてしまい、導電性物質からなる複数の小領域の位置情報が容易に視認できるという欠点があった。
【先行技術文献】
【特許文献】
【００１３】
【特許文献１】特許第５７０９２８４号公報
【特許文献２】特開２０１５−９９５１４号公報
【発明の概要】
【発明が解決しようとする課題】
【００１４】
本発明の目的は、マルチタッチを認識できる静電容量方式のタッチスクリーンに用いる接触メディアであって、前記接触メディアに構成された、導電性物質からなる複数の小領域の位置情報を検知することを困難にすることを目的としている。
【課題を解決するための手段】
【００１５】
上記課題を解決するために本発明は以下の手段を有する。すなわち、マルチタッチを認識できる静電容量方式のタッチスクリーンに用いる接触メディアであって、接触メディアの一方面に少なくとも、特性情報別に予め決められた位置に導電性物質からなる複数の導電性小領域と、前記小領域同士を導通させる導電性物質からなる導電性結合線が形成されている接触メディアにおいて、前記接触メディアの同一方面に、非導電性物質からなる非導電性小領域が形成されていることを特徴とする。
【００１６】
また、本発明は以下の手段を有する。すなわち、マルチタッチを認識できる静電容量方式のタッチスクリーンに用いる接触メディアであって、接触メディアの一方面に少なくとも、特性情報別に予め決められた位置に導電性物質からなる複数の導電性小領域と、前記小領域同士を導通させる導電性物質からなる導電性結合線が形成されている接触メディアにおいて、前記接触メディアの同一方面に、前記導電性結合線と重なる位置に、非導電性物質からなる非導電性小領域が形成されていることを特徴とする。
【００１７】
また、前記各手段において、前記非導電性小領域は前記導電性小領域と重ならない位置に形成されていることを特徴とする。
【００１８】
また、前記各手段において、前記非導電性小領域は上記導電性小領域と略同形状であることを特徴とする。
【００１９】
マルチタッチを認識できる静電容量方式のタッチスクリーンに用いる接触メディアで、導電性物質からなる複数の小領域の位置が特定できれば容易に複製することができる。特性情報としては、導電性物質からなる小領域を最低２個形成すれば良いが、例えば導電性物質からなる小領域を４個形成したとしても、その位置関係が視認できるのであれば、導電性物質からなる小領域の位置を容易に特定できる。一方、導電性物質からなる小領域４個に、例えば非導電性物質からなる小領域６個を追加すると、１０個の点から４個を選択する組み合わせ、すなわち１０Ｃ４＝２１０通りの組み合わせとなる。実際には、複製しようとする者には、特性情報を形成する導電性物質からなる小領域は、何個で構成されているかはわからないため、例えば１０個の点から２個、３個、４個を選択する組み合わせの和、すなわち１０Ｃ２＋１０Ｃ３＋１０Ｃ４＝３７５通りとなり、位置関係の特定は容易ではない。
【００２０】
また、非導電性物質からなる非導電性小領域は非導電性であるから、マルチタッチを認識できる静電容量方式のタッチスクリーンでは全く認識せず、非導電性小領域の多寡や非導電性小領域同士または導電性小領域と非導電性小領域との位置関係に関係なく、導電性物質からなる導電性小領域の位置のみを正しく認識する。
【発明の効果】
【００２１】
本発明により、マルチタッチを認識できる静電容量方式のタッチスクリーンに用いる接触メディアであって、導電性物質からなる複数の導電性小領域の位置情報、言い換えれば特性情報を、容易に複製することを困難にする接触メディアを提供することができる。
【図面の簡単な説明】
【００２２】
【図１】本発明の接触メディアに係る一形態の層別構成図である。
【図２】本発明の接触メディアに係る一形態の概略構成図である。
【図３】本発明の接触メディアの他の一形態の概略構成図である。
【発明を実施するための形態】
【００２３】
本発明の接触メディアを詳細に説明する。
本発明の接触メディアは、マルチタッチを認識できる静電容量方式のタッチスクリーンに用いる接触メディアであって、１枚以上のシートより構成され、接触メディアの一方面に少なくとも、特性情報別に予め決められた位置に導電性物質からなる複数の導電性小領域（以下「導電性小領域」と記す）と、前記導電性小領域同士を導通させる導電性物質からなる導電性結合線（以下「導電性結合線」と記す）が形成されている接触メディアにおいて、前記接触メディアの同一方面に、非導電性物質からなる非導電性小領域（以下「非導電性小領域」と記す）が形成されている接触メディアである。
【００２４】
本発明の接触メディアには、特性情報別に予め決められた位置に複数の導電性小領域と、前記導電性小領域同士を導通させる導電性結合線の他に、人間との接触を行う導電性物質からなる導電性領域（以下「持ち手部」と記す）が必要であるが、持ち手部は人間との接触を行う導電性領域として形成されていれば、特性情報別に予め決められた位置以外に形成させた導電性小領域や  特性情報別に予め決められた位置に形成させた導電性小領域を導通させるための導電性結合線の延長として形成させても良い。すなわち、持ち手部は当該部位を人間が持ってマルチタッチを認識できる静電容量方式のタッチスクリーンにタッチさせた場合に、タッチスクリーンとは非接触の導電性領域であれば良く、その形状は導電性小領域と略同形状の塊状や線状、線状を組み合わせた網目状、またはこれらの組み合わせなど、その形状は限定されない。
【００２５】
本発明に係る非導電性小領域は、接触メディアの同一方面であれば、導電性小領域および／または導電性結合線と重なる位置に非導電性小領域が形成されていても、導電性小領域および導電性結合線と重ならない位置に非導電性小領域が形成されていても、何れでも良いが、複製に対する誤認性をより高めるには、非導電性小領域は導電性結合線と重なる位置に形成させることが好ましく、さらには導電性小領域とは重ならない位置であるが導電性結合線と重なる位置も形成させることがより好ましい。
【００２６】
以下、本発明の接触メディアを、図面を援用しながら説明する。
図１に示すように、本発明の接触メディア１０は、マルチタッチを認識できる静電容量方式のタッチスクリーンに用いる接触メディアであって、接触メディア１０の一方面に、特性情報別に予め決められた位置に複数の導電性小領域３と、導電性の持ち手部２、導電性結合線４が形成されている接触メディア１０の同一方面に、非導電性小領域５、１５が形成されている接触メディアである。
【００２７】
なお、非導電性小領域のうち、導電性小領域３および／または導電性結合線４と重なる位置に形成されたものを非導電性小領域５とし、導電性小領域３および導電性結合線４と重ならない位置に形成されたものを非導電性小領域１５として便宜的に区別する。図２は、導電性結合線４と重なる位置に形成された非導電性小領域５と、導電性小領域３および導電性結合線４の双方と重ならない位置に形成された非導電性小領域１５との双方を有する接触メディアであり、図３は、導電性結合線４と重なる位置に形成された非導電性小領域５のみを有する接触メディアの例である。
【００２８】
本発明の接触メディア１０は、例えば基材１ａを基準とすれば、少なくとも導電性小領域３、持ち手部２、および導電性結合線４が基材１ａの一方面に形成されていれば良い。また、非導電性小領域５、１５は、導電性小領域３などが形成された面と同一方面、すなわち導電性小領域３などが形成された面と同一面に形成されているか、基材１ａの一方側の面（すなわち、同一方面）であって、導電性小領域３などが形成された面と非導電性小領域５、１５が形成された面が積層関係にあれば良い。
【００２９】
非導電性小領域５、１５と、導電性小領域３および導電性結合線４などとを同一面に形成する場合、基材１ａに直接両者を形成させても良いし、基材１ａとは別の非導電性シートに両者を形成させたものを基材１ａと貼り合わせても良い。非導電性小領域５、１５と、導電性小領域３および導電性結合線４などとを、基材１ａの一方側の別の面、すなわち同一方面に形成する場合には、導電性小領域３などが形成された面と非導電性小領域５、１５が形成された面が積層関係にあれば良く、非導電性小領域５、１５形成面上に導電性小領域３などの形成面を積層させても、図１に図示したように、導電性小領域３などの形成面（１ｂ）上に非導電性小領域５、１５を積層（１ｃ）させても、何れでも良い。さらに積層関係の場合、非導電性小領域５、１５は全てが同一面に形成されていなくても良く、その一部は導電性小領域３などの形成面に形成させても良い。
【００３０】
なお、基材１ａを基準として、非導電性小領域５、１５および導電性小領域３などを形成させた側の最表面１ｃは、導電性小領域などが露出していると非導電性小領域の形成意義が著しく低下するので、光学的に隠蔽すると共に導電性小領域などを使用上の擦過から保護するために、不透明な保護層１ｄを設けて、光学的、物理的に導電性小領域などを隠蔽保護することが肝要である。当該保護層は印刷により被覆しても良いし、適宜の不透明基材を貼り付けても良いし、適宜の透明基材上に印刷を行って不透明にしても良い。
【００３１】
本発明の接触メディアにおける導電性小領域の形状は、円形、三角形以上の多角形、星形、不定形の塊状、およびこれらを一方向以上に引き延ばしまたは収縮させた形状、並びにこれらの２種以上を組み合わせた形状が挙げられる。また、導電性結合線は線状であって直線または曲線およびこれらを組み合わせた形状が挙げられる。導電性結合線はアングルを有したり、その一部が曲率半径の小さな曲線で構成されていたりすると、タッチスクリーンにおいて導電性小領域、すなわち特性情報別に予め決められた位置と誤認する場合があるので、アングルや曲率半径の小さな曲線は導電性結合線に含まれないことが好ましい。さらに、導電性小領域に接続しない導電性結合線の端部があれば、人間との接触を行う持ち手部の位置にあるか、持ち手部に設けた導電性領域に接続していることが必要である。
【００３２】
また、タッチスクリーンに用いる接触メディアとして、導電性小領域はタッチスクリーンにおいて特性情報別に予め決められた位置として認識されれば、その大きさは特に限定されない。一方、導電性結合線はあまり太いと、それに接続した導電性小領域における特性情報別に予め決められた位置が誤認される可能性があるので、少なくとも導電性小領域と相対的に幅がない（細い）ことが望ましい。
【００３３】
本発明の接触メディアにおける非導電性小領域の形状は、導電性小領域と同様、円形、三角形以上の多角形、星形、不定形の塊状、およびこれらを一方向以上に引き延ばしまたは収縮させた形状、並びにこれらの２種以上を組み合わせた形状が挙げられる。誤認性を高めるためには、導電性小領域と略同形状であって、導電性小領域の大きさとも略同一であることが好ましい。
【００３４】
次に、本発明の接触メディアに用いる素材および接触メディアの作製方法を説明する。
本発明の接触メディアに係る基材としては、ポリエチレン、ポリプロピレン、ポリエチレンテレフタレートなどのプラスチック、紙、およびそれらを積層させた複合素材、ガラス、セラミック、布帛、皮革、またはそれらの組み合わせなどが使用可能であるが、本発明の接触メディアをカード状に仕立て、使用時には導電性小領域などの形成面はタッチスクリーンに密着すると共に、持ち手部の導電性領域はタッチスクリーンから非接触とできるよう、しなやかな歪曲性を発現させる素材が好ましく、プラスチック、紙、およびそれらを積層させた複合素材が好適である。基材の厚みは任意であるが、薄すぎると耐久性に劣り、また厚すぎても使用、保管などに不便であるから、接触メディアを構成した状態で０．１８ｍｍ〜１ｍｍとなることが好ましい。
【００３５】
また、本発明の接触メディアの基材には機能性を持たせるため、基材の表裏面に複数の層を形成することができる。例えば、易接着層、帯電防止層、粘着層、インク受理層、耐擦過性強化層、耐水層などである。これらは必要とされる機能に関して任意に複数選択することができる。
【００３６】
本発明の接触メディアの基材に、導電性小領域や導電性結合線などを形成する方法は、スクリーン印刷技術を用いて導電性のインクを印刷する方法、良導電性の金属箔を基材に貼って形成する方法、銀インクによるインクジェット方式による印刷法も知られているが、本発明においてはその何れでも良いし、少なくとも導電性小領域と導電性結合線とを別の方法によって形成させても良い。
【００３７】
また、導電性インクの選択によっては、導電性インクの特性上、インクの膜厚を厚くしないと導電性が充分に発現しない場合があり、導電性小領域の上層に光学的な隠蔽層及び／または物質的な保護層を付与した場合でも、導電性小領域が表面に凸部として表れ、結果として導電性小領域の位置関係が視認できてしまうことがあるが、このような場合には非導電性物質のインクの膜厚を厚くすることで対応できる。
【００３８】
本発明の接触メディアの基材に、非導電性小領域を形成する方法は、手書きでも良いが、印刷によって形成されることが望ましい。印刷方法は、一般的に公知の方法、例えば凸版印刷、オフセット平版印刷、グラビア印刷、フレキソ印刷、スクリーン印刷、インクジェット方式印刷などであるが、これに限定されるものではない。非導電性小領域を形成するインクは、具体的には描画後（乾燥後）の抵抗が体積抵抗率で１×１０８Ω・ｃｍ以上になるインクが好ましく、前記印刷方法に応じたものを選択できる。印刷の色味は導電性物質領域の色味と近いものがより好ましい。印刷濃度（光学反射濃度）は導電性小領域と同等であることが好ましい。
【００３９】
本発明の接触メディアは、１枚以上のシートにより構成されるが、１枚の基材の同一方面（図１であれば基材１ａの片面）に、導電性小領域、導電性結合線および非導電性小領域を形成する場合、形成する順番は任意である。
【００４０】
上記の場合、導電性小領域、導電性結合線および非導電性小領域を形成した面の上に、さらに基材（図１であれば基材１ｄ）を貼り合わせる方法は、公知の方法、すなわち、導電性小領域、導電性結合線および非導電性小領域を形成した面に、さらに接着層を形成し、もう１枚の基材を貼り合わせる方法、導電性小領域、導電性結合線および非導電性小領域を形成した面に貼り合わせる、もう１枚の基材に接着層を形成する方法、両面テープなどの接着材で接着する方法などが挙げられるが、これに限定されるものではない。また、２枚以上のシートにより本発明の接触メディアを構成する場合にも同様であるし、導電性小領域、導電性結合線と、非導電性小領域を別々の層に形成した場合も同様である。
【００４１】
また、導電性小領域、導電性結合線と非導電性小領域を形成した面（図３）に、透過濃度で０．７以上の有色層を形成し本発明の接触メディアとすることもできる。さらに、本発明の接触メディアは、最終的に表面と裏面を構成するカード状となるが、表面と裏面には、例えば文字、記号および画像を含む情報、ホログラムなどの偽造防止処置、シールなどの貼付などを施すことができる。
【符号の説明】
【００４２】
１ａ  基材
１ｂ  導電性物質からなる複数の導電性小領域および導電性結合線の層
１ｃ  非導電性物質からなる非導電性小領域の層
１ｄ  基材（隠蔽層、保護層）
２  導電性物質からなる導電性領域（持ち手部）
３  導電性物質からなる導電性小領域
４  導電性物質からなる導電性結合線
５、１５  非導電性物質からなる非導電性小領域
１０  接触メディア
【図１】
2020047211.tif 000003
【図２】
2020047211.tif 000004
【図３】
2020047211.tif 000005